(57)【要約】【課題】リーダが休止状態であっても、外部バッテリーの電力供給の停止を防止することが可能なカートＰＯＳおよびプログラムを提供することである。【解決手段】商品を特定するための情報を読み取るリーダと、前記リーダに電力を供給するとともに、所定時間継続して前記リーダへの電力供給がないと前記リーダへの電力の供給を停止する外部バッテリーと、前記リーダが読み取った前記情報に基づいて取得した当該商品の商品情報を記憶する記憶部と、前記リーダに対し、前記リーダが前記外部バッテリーから第１電力を受給して前記情報を読み取るために常時駆動するための第１信号を送信する第１信号送信部と、前記リーダに対し、前記リーダが前記外部バッテリーから前記第１電力より少ない第２電力を受給して間欠駆動するための第２信号を送信する第２信号送信部と、を備え、前記リーダは、前記第１信号を受信した場合に前記常時駆動し、前記第２信号を受信した場合に前記間欠駆動する。【選択図】図９
2020177589.tif 000002
【特許請求の範囲】
【請求項１】
商品を特定するための情報を読み取るリーダと、
前記リーダに電力を供給するとともに、所定時間継続して前記リーダへの電力供給がないと前記リーダへの電力の供給を停止する外部バッテリーと、
前記リーダが読み取った前記情報に基づいて取得した当該商品の商品情報を記憶する記憶部と、
前記リーダに対し、前記リーダが前記外部バッテリーから第１電力を受給して前記情報を読み取るために常時駆動するための第１信号を送信する第１信号送信部と、
前記リーダに対し、前記リーダが前記外部バッテリーから前記第１電力より少ない第２電力を受給して間欠駆動するための第２信号を送信する第２信号送信部と、
を備え、
前記リーダは、前記第１信号を受信した場合に前記常時駆動し、前記第２信号を受信した場合に前記間欠駆動する、
ことを特徴とするカートＰＯＳ。
【請求項２】
前記第２信号送信部は、前記記憶部に記憶した前記商品情報に基づいて会計処理をする会計装置から前記商品情報に伴う会計処理が終了したことを示す信号を受信した場合に前記第２信号を送信する、
ことを特徴とする請求項１に記載のカートＰＯＳ。
【請求項３】
前記記憶部に記憶した前記商品情報を、前記商品情報に基づいて会計処理をする会計装置に送信する商品情報送信部、をさらに備え、
前記第２信号送信部は、前記商品情報送信部が前記商品情報を会計装置に送信した場合に前記第２信号を送信する、
ことを特徴とする請求項１に記載のカートＰＯＳ。
【請求項４】
前記記憶部と、前記第１信号送信部と、前記第２信号送信部と、を具備する情報端末をさらに備えた、
ことを特徴とする請求項１乃至３のいずれか一に記載のカートＰＯＳ。
【請求項５】
前記リーダは、商品に付されたシンボルを読み取るスキャナであり、前記スキャナは、前記第１信号を受信した場合に常時点灯し、前記第２信号を受信した場合に間欠点灯する、
ことを特徴とする請求項１乃至４のいずれか一に記載のカートＰＯＳ。
【請求項６】
商品を特定するための情報を読み取るリーダと、前記リーダに電力を供給するとともに、所定時間継続して前記リーダへの電力供給がないと前記リーダへの電力の供給を停止する外部バッテリーと、を備えたカートＰＯＳとしてのコンピュータを、
前記リーダが読み取った前記情報に基づいて取得した当該商品の商品情報を記憶する記憶部と、
前記リーダに対し、前記リーダが前記外部バッテリーから第１電力を受給して前記情報を読み取るために常時駆動するための第１信号を送信する第１信号送信部と、
前記リーダに対し、前記リーダが前記外部バッテリーから前記第１電力より少ない第２電力を受給して間欠駆動するための第２信号を送信する第２信号送信部と、
として機能させ、
前記リーダを、前記第１信号を受信した場合に前記常時駆動し、前記第２信号を受信した場合に前記間欠駆動させる、
プログラム。
【発明の詳細な説明】
【技術分野】
【０００１】
本発明の実施形態は、カートＰＯＳおよびプログラムに関する。
【背景技術】
【０００２】
最近、スーパーマーケットや量販店等の店舗において、店内で販売される商品を入れるカゴを載置するカートが存在する。このようなカートは、車輪によって移動が可能であり、顧客は、当該カートを押して店内を移動しながら買物をすることができる。
【０００３】
そして、最近は、タブレット端末等の情報端末と、スキャナ等のリーダが取り付けられたカートが存在する。顧客は、購入する商品に付されたバーコード等のシンボルをリーダで読ませて、カートに載置されたカゴに入れる。シンボルが読まれた商品の商品情報（商品名、価格等）は情報端末に表示される。顧客は、情報端末に表示された商品情報を確認しながら買い物を進める。
【０００４】
ところで、情報端末は自身が電源となるバッテリーを装着していることが多い。ところがリーダは、１２Ｖで動作するため、情報端末等から電源の供給を受けることができず、別途外部バッテリーをカートに外付けして、当該外部バッテリーから電力を受給して駆動する。外部バッテリーは所定時間継続して電力の供給がないとリーダへの電力の供給を停止することがある。
【０００５】
一方リーダは、顧客がカートの使用を終了し、所定場所に返却されると、シンボルを読むために発光する通常モードから発光を消灯する休止状態となる。リーダが休止状態となり電力を消費しなくなる。すると、外部バッテリーは、リーダへの電力の供給を停止することがある。外部バッテリーからリーダへの電力供給を再開するためには、バッテリーに備えられた再開ボタンを操作する等の対応が必要であった。
【発明の概要】
【発明が解決しようとする課題】
【０００６】
本発明が解決しようとする課題は、リーダが休止状態であっても、外部バッテリーがリーダに電力を供給し続けることが可能なカートＰＯＳおよびプログラムを提供することである。
【課題を解決するための手段】
【０００７】
実施形態のカートＰＯＳは、商品を特定するための情報を読み取るリーダと、前記リーダに電力を供給するとともに、所定時間継続して前記リーダへの電力供給がないと前記リーダへの電力の供給を停止する外部バッテリーと、前記リーダが読み取った前記情報に基づいて取得した当該商品の商品情報を記憶する記憶部と、前記リーダに対し、前記リーダが前記外部バッテリーから第１電力を受給して前記情報を読み取るために常時駆動するための第１信号を送信する第１信号送信部と、前記リーダに対し、前記リーダが前記外部バッテリーから前記第１電力より少ない第２電力を受給して間欠駆動するための第２信号を送信する第２信号送信部と、を備え、前記リーダは、前記第１信号を受信した場合に前記常時駆動し、前記第２信号を受信した場合に前記間欠駆動する。
【図面の簡単な説明】
【０００８】
【図１】図１は、実施形態に係るカートＰＯＳを示す斜視図である。
【図２】図２は、カートＰＯＳ含むシステムを示す図である。
【図３】図３は、スキャナのハードウェア構成を示すブロック図である。
【図４】図４は、タブレットＰＯＳのハードウェア構成を示すブロック図である。
【図５】図５は、会計装置のハードウェア構成を示すブロック図である。
【図６】図６は、スキャナの機能構成を示す機能ブロック図である。
【図７】図７は、スキャナの制御処理の流れを示すフローチャートである。
【図８】図８は、タブレットＰＯＳの機能構成を示す機能ブロック図である。
【図９】図９は、タブレットＰＯＳの制御処理の流れを示すフローチャートである。
【図１０】図１０は、会計装置の制御処理の流れを示すフローチャートである。
【図１１】図１１は、変形例に係るタブレットＰＯＳの機能構成を示す機能ブロック図である。
【図１２】図１２は、変形例に係るタブレットＰＯＳの制御処理の流れを示すフローチャートである。
【発明を実施するための形態】
【０００９】
以下、図面を参照して、実施形態および変形例について説明する。実施形態および変形例において、スキャナをリーダの一例として説明する。また、タブレットＰＯＳ（Point  of  Sales）を情報端末の一例として説明する。なお、以下に説明する実施形態および変形例により、この発明が限定されるものではない。
【００１０】
（実施形態）
まず、カートＰＯＳ１について説明する。カートＰＯＳ１は、店舗内を移動しながら購入する商品を収納する装置である。カートＰＯＳ１は、顧客が押して店内を移動させる。図１は、実施形態に係るカートＰＯＳを示す図である。図１に示すように、カートＰＯＳ１は、取っ手２、スキャナ３、カゴ載置部４、タブレットＰＯＳ５、キャスター６、外部電池ホルダ８を備える。
【００１１】
取っ手２は、顧客が把持してカートＰＯＳ１を移動させるための部位である。スキャナ３は、顧客が購入する商品に付されたバーコード等のシンボル（商品を特定するための情報）を読み取る装置である。スキャナ３は、シンボルを光学的または撮像して読み取る。スキャナ３は、読み取ったシンボルをタブレットＰＯＳ５に送信する。カゴ載置部４は、商品を収納するカゴＫを載置する台である。タブレットＰＯＳ５は、例えばタブレット端末である。タブレットＰＯＳ５は、スキャナ３が読み取ったシンボルを入力して、当該商品に係る商品情報（商品名、価格等）を取得して、売上登録処理を実行する。
【００１２】
売上登録処理とは、スキャナ３が読み取ったシンボルに基づいて取得した当該商品を特定する商品コードに基づいて、当該商品の商品情報（商品名、価格等）を商品マスタ５４２（図４を参照）から読み出し、読み出した当該商品の商品情報を表示部６２に表示するとともに、商品情報を商品情報部５３１（図４を参照）に記憶する処理をいう。
【００１３】
キャスター６は、カートＰＯＳ１に４脚備えられる。それぞれのキャスター６が個別に回転することで、カートＰＯＳ１は顧客に押されて店内を自由に移動することができる。
【００１４】
外部電池ホルダ８は、外部バッテリー９を内蔵し、カートＰＯＳ１に保持する。外部バッテリー９は、スキャナ３に電力を供給するとともに、所定時間継続してスキャナ３への電力供給がないと、スキャナ３への電力の供給を停止する。具体的には、外部バッテリー９は、スキャナ３を駆動させるために電力を供給する。そして外部バッテリー９は、所定時間（例えば６０秒）以上継続して電力の供給がない場合には、スキャナ３への電力の供給を停止する。電力の供給を停止した外部バッテリー９においてスキャナ３への電力の供給を再開するためには、外部バッテリー９に設けられた再開ボタン（図示せず）を操作する。
【００１５】
次に、カートＰＯＳ１を含むシステムについて説明する。図２は、カートＰＯＳ１含むシステムを示す図である。スキャナ３と外部バッテリー９は、例えばＵＳＢ（Universal  Serial  Bus）等の接続線Ｌ１で接続されている。スキャナ３と外部バッテリー９は、接続線Ｌ１を介して相互に通信可能かつ情報の送受信が可能である。
【００１６】
また、スキャナ３とタブレットＰＯＳ５は、例えばＵＳＢ等の接続線Ｌ２で接続されている。スキャナ３とタブレットＰＯＳ５は、接続線Ｌ２を介して相互に通信可能かつ情報の送受信が可能である。
【００１７】
会計装置７は、例えば無線ＬＡＮ（Local  Area  Network）あるいは近距離無線通信等の通信回線ＭでタブレットＰＯＳ５と接続される。会計装置７とタブレットＰＯＳ５は、通信回線Ｍを介して相互に通信可能であり、情報の送受信が可能である。
【００１８】
会計装置７は、顧客が購入する商品について、会計処理を実行する。会計装置７は、タブレットＰＯＳ５から受信した商品情報に基づいて会計処理を実行する。会計処理とは、売上登録処理に伴い商品情報部５３１に記憶された商品情報に基づいて、取引に係る合計金額や税額の表示、顧客から預かった預り金に基づいて釣銭を計算して表示する処理、商品情報や決済情報（合計金額、預り金額、釣銭額等）を印字したレシートをプリンタ８３（図５を参照）を駆動して発行する処理等をいう。
【００１９】
ここからは、スキャナ３のハードウェアについて説明する。図３は、スキャナ３のハードウェア構成を示すブロック図である。図３に示すように、スキャナ３は、ＣＰＵ（Central  Processing  Unit）３１、ＲＯＭ（Read  Only  Memory）３２、ＲＡＭ（Random  Access  Memory）３３、メモリ部３４等を備えている。ＣＰＵ３１は制御主体となる。ＲＯＭ３２は各種プログラムを記憶する。ＲＡＭ３３はプログラムや各種データを展開する。メモリ部３４は各種プログラムを記憶する。ＣＰＵ３１、ＲＯＭ３２、ＲＡＭ３３、メモリ部３４は、互いにバス３５を介して接続されている。ＣＰＵ３１とＲＯＭ３２とＲＡＭ３３が、制御部３００を構成する。すなわち、制御部３００は、ＣＰＵ３１がＲＯＭ３２やメモリ部３４に記憶されＲＡＭ３３に展開された制御プログラムに従って動作することによって、後述するスキャナ３の制御処理を実行する。
【００２０】
ＲＡＭ３３は、バーコード部３３１を備える。バーコード部３３１は、受光部４４が受光したシンボルのシンボルデータを記憶する。
【００２１】
メモリ部３４は、ＳＳＤ（Solid  State  Drive）、ＨＤＤ（Hard  Disc  Drive）、フラッシュメモリ等で構成されており、電源を遮断しても記憶内容を維持する。メモリ部３４は、制御プログラム部３４１を備える。制御プログラム部３４１はスキャナ３を制御するための制御プログラムを記憶する。
【００２２】
制御部３００は、バス３５とコントローラ３６を介して、操作部４１、表示部４２、発光部４３、受光部４４を備える。操作部４１は、スキャナ３を操作するキーである。表示部４２は、スキャナ３を操作する操作者に対し、情報を表示する。発光部４３は、例えば発光ダイオードで構成され、発光して外部に光を出射する。受光部４４は、例えばＣＣＤ（Charge  Coupled  Device）イメージセンサで構成され、シンボルで反射した光を受光する。
【００２３】
また、制御部３００は、バス３５を介して、電源供給部４５に接続する。電源供給部４５は、接続線Ｌ１を介して外部バッテリー９と接続する。電源供給部４５は、外部バッテリー９から電力を受給して、スキャナ３の各部を動作させる。
【００２４】
また、制御部３００は、バス３５を介して、タイマ３７と接続する。タイマ３７は現在の日時を計時する。また、制御部３００は、バス３５を介して、通信Ｉ／Ｆ４６と接続する。通信Ｉ／Ｆ４６は、接続線Ｌ２を介して、タブレットＰＯＳ５と相互に情報の送受信が可能である。
【００２５】
次に、タブレットＰＯＳ５のハードウェアについて説明する。図４は、タブレットＰＯＳ５のハードウェア構成を示すブロック図である。図４に示すように、タブレットＰＯＳ５は、ＣＰＵ５１、ＲＯＭ５２、ＲＡＭ５３、メモリ部５４等を備えている。ＣＰＵ５１は制御主体となる。ＲＯＭ５２は各種プログラムを記憶する。ＲＡＭ５３はプログラムや各種データを展開する。メモリ部５４は各種プログラムを記憶する。ＣＰＵ５１、ＲＯＭ５２、ＲＡＭ５３、メモリ部５４は、互いにバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラムに従って動作することによって、後述するタブレットＰＯＳ５の制御処理を実行する。
【００２６】
ＲＡＭ５３は、商品情報部５３１を備える。商品情報部５３１は、売上登録処理した商品の商品情報（商品名、商品の価格、等）を記憶する。
【００２７】
メモリ部５４は、ＳＳＤ、ＨＤＤ、フラッシュメモリ等で構成されており、電源を遮断しても記憶内容を維持する。メモリ部５４は、制御プログラム部５４１と商品マスタ５４２を備える。制御プログラム部５４１はタブレットＰＯＳ５を制御するための制御プログラムを記憶する。商品マスタ５４２は、店舗内で販売される商品をそれぞれ特定する商品コード、および当該商品コードに対応付けて、当該商品の商品情報（商品名、商品の価格等）を記憶する。
【００２８】
制御部５００は、バス５５とコントローラ５６を介して、操作部６１、表示部６２、カードリーダ６３を備える。操作部６１は、タブレットＰＯＳ５を操作するキーボードである。操作部６１は、送信キー６１１を含む。送信キー６１１は、商品情報部５３１に記憶されている商品情報を会計装置７に送信する際に顧客が操作する。表示部６２は、タブレットＰＯＳ５を操作する操作者（顧客）に対し、情報を表示する。カードリーダ６３は、顧客が携帯する顧客カードから顧客を特定する顧客コード（顧客特定情報）を読み取る。
【００２９】
また、制御部５００は、バス５５を介して、通信Ｉ／Ｆ６４と接続する。通信Ｉ／Ｆ６４は、接続線Ｌ２を介して、スキャナ３からシンボルの情報を受信する。また、制御部５００は、バス５５を介して、通信Ｉ／Ｆ６５と接続する。通信Ｉ／Ｆ６５は、通信回線Ｍを介して、会計装置７と情報の送受信が可能である。
【００３０】
次に、会計装置７のハードウェアについて説明する。図５は、会計装置７のハードウェア構成を示すブロック図である。図５に示すように、会計装置７は、ＣＰＵ７１、ＲＯＭ７２、ＲＡＭ７３、メモリ部７４等を備えている。ＣＰＵ７１は制御主体となる。ＲＯＭ７２は各種プログラムを記憶する。ＲＡＭ７３はプログラムや各種データを展開する。メモリ部７４は各種プログラムを記憶する。ＣＰＵ７１、ＲＯＭ７２、ＲＡＭ７３、メモリ部７４は、互いにバス７５を介して接続されている。ＣＰＵ７１とＲＯＭ７２とＲＡＭ７３が、制御部７００を構成する。すなわち、制御部７００は、ＣＰＵ７１がＲＯＭ７２やメモリ部７４に記憶されＲＡＭ７３に展開された制御プログラムに従って動作することによって、後述する会計装置７の制御処理を実行する。
【００３１】
ＲＡＭ７３は、商品情報部７３１を備える。商品情報部７３１は、タブレットＰＯＳ５から受信した商品情報を記憶する。
【００３２】
メモリ部７４は、ＳＳＤ、ＨＤＤ、フラッシュメモリ等で構成されており、電源を遮断しても記憶内容を維持する。メモリ部７４は、制御プログラム部７４１を備える。制御プログラム部７４１は会計装置７を制御するための制御プログラムを記憶する。
【００３３】
制御部７００は、バス７５とコントローラ７６を介して、操作部８１、表示部８２、プリンタ８３を備える。操作部８１は、会計装置７を操作するキーボードである。操作部８１は、終了キー８１１を含む。終了キー８１１は、顧客との取引を終了する際に顧客が操作する。表示部８２は、会計装置７を操作する操作者（顧客）に対し、情報を表示する。プリンタ８３は、当該顧客との取引に係る商品情報や会計情報を印字してレシートを発行する。
【００３４】
また、制御部７００は、バス７５を介して、通信Ｉ／Ｆ８５と接続する。通信Ｉ／Ｆ８５は、通信回線Ｍを介して、タブレットＰＯＳと情報の送受信が可能である。
【００３５】
ここからは、スキャナ３の機能構成について説明する。図６は、スキャナ３の機能構成を示す機能ブロック図である。スキャナ３は、制御プログラム部３４１に記憶され、ＲＡＭ３３に展開された制御プログラムに従うことで、常時点灯部３０１、シンボル読取部３０２、シンボルデータ送信部３０３、間欠点灯部３０４として機能する。
【００３６】
常時点灯部３０１は、第１信号を受信すると、外部バッテリー９から第１電力を受給して発光部４３を常時点灯（常時駆動）する。具体的には、常時点灯部３０１は、タブレットＰＯＳ５から第１信号を受信すると、外部バッテリー９から受給した電力を発光部４３に常に供給（例えば０．４アンペア）して、発光部４３を常時点灯する。発光部４３が常時点灯している間は、スキャナ３はシンボルを読み取ることが可能である。また、発光部４３が常時点灯している間は、スキャナ３は電力を消費するため、外部バッテリー９はスキャナ３に第１電力を供給する。
【００３７】
シンボル読取部３０２は、受光部４４が読み取ったシンボルデータをバーコード部３３１に記憶する。
【００３８】
シンボルデータ送信部３０３は、バーコード部３３１に記憶されているシンボルデータを、タブレットＰＯＳ５に送信する。
【００３９】
間欠点灯部３０４は、第２信号を受信すると、外部バッテリー９から第１電力より少ない第２電力を受給して発光部４３を間欠点灯（間欠駆動）する休止状態とする。具体的には、間欠点灯部３０４は、タブレットＰＯＳ５から第２信号を受信すると、外部バッテリー９から第２電力を受給して発光部４３を間欠点灯する。間欠点灯とは、発光部４３を、例えば６０秒間に１回１０秒程度発光させることをいう。間欠点灯部３０４は、タイマ３７が計時する時間に基づいて発光部４３を間欠点灯させる。発光部４３が間欠点灯すると、スキャナ３は、休止状態であっても多少電力を消費（例えば０．１アンペア）するため、外部バッテリー９はスキャナ３に第２電力を供給する。
【００４０】
次に、スキャナ３の制御について説明する。図７は、スキャナ３の制御処理の流れを示すフローチャートである。図７に示すように、スキャナ３の制御部３００は、タブレットＰＯＳから第１信号を受信したかを判断する（Ｓ１１）。タブレットＰＯＳから第１信号を受信したと判断した場合には（Ｓ１１のＹｅｓ）、常時点灯部３０１は、発光部４３を常時発光させてスキャナを常時点灯（常時駆動）して、シンボルの読み取りを可能とする（Ｓ１２）。そして制御部３００は、Ｓ１１に戻る。
【００４１】
また、タブレットＰＯＳ５からの第１信号の受信ではないと判断した場合には（Ｓ１１のＮｏ）、制御部３００は、受光部４４が商品に付されたシンボルを読み取ったかを判断する（Ｓ２１）。受光部４４がシンボルを読み取ったと判断した場合には（Ｓ２１のＹｅｓ）、シンボル読取部３０２は、読み取ったシンボルデータをバーコード部３３１に記憶する（Ｓ２２）。そしてシンボルデータ送信部３０３は、バーコード部３３１に記憶されているシンボルデータを、タブレットＰＯＳ５に送信する（Ｓ２３）。そして制御部３００は、Ｓ１１に戻る。
【００４２】
また、受光部４４がシンボルを読み取っていない判断した場合には（Ｓ２１のＮｏ）、制御部３００は、タブレットＰＯＳから第２信号を受信したかを判断する（Ｓ３１）。タブレットＰＯＳから第２信号を受信したと判断した場合には（Ｓ３１のＹｅｓ）、間欠点灯部３０４は、発光部４３を間欠的に発光してスキャナ３を間欠点灯（間欠駆動）する（Ｓ３２）。そして制御部３００は、Ｓ１１に戻る。また、タブレットＰＯＳから第２信号を受信していないと判断した場合には（Ｓ３１のＮｏ）、制御部３００は、Ｓ１１に戻る。
【００４３】
ここからは、タブレットＰＯＳ５の機能構成について説明する。図８は、タブレットＰＯＳ５の機能構成を示す機能ブロック図である。タブレットＰＯＳ５は、制御プログラム部５４１に記憶され、ＲＡＭ５３に展開された制御プログラムに従うことで、第１信号送信部５０１、記憶部５０２、商品情報送信部５０３、第２信号送信部５０４として機能する。
【００４４】
第１信号送信部５０１は、スキャナ３に対し、スキャナ３が外部バッテリー９から第１電力を受給して前記情報を読み取るために常時点灯するための第１信号を送信する。具体的には、第１信号送信部５０１は、カードリーダ６３が顧客カードから顧客コードを読み取った場合に、スキャナ３に対し第１信号を送信する。
【００４５】
記憶部５０２は、スキャナ３が読み取ったシンボルデータに基づいて取得した当該商品の商品情報を、商品情報部５３１に記憶する。具体的には、記憶部５０２は、スキャナ３が読み取ったシンボルデータを受信して、受信したシンボルデータに基づいて当該商品を特定する商品コードを取得し、取得した商品コードに基づいて商品マスタ５４２から当該商品コードに対応した商品情報を読み出して、商品情報部５３１に記憶する（すなわち、売上登録処理を実行する）。
【００４６】
商品情報送信部５０３は、商品情報部５３１に記憶した商品情報を会計装置７に送信する。具体的には、送信キー６１１が操作されると、商品情報部５３１に記憶した商品情報を顧客コードとともに会計装置７に送信する。
【００４７】
第２信号送信部５０４は、スキャナ３に対し、スキャナ３が外部バッテリー９から第１電力より少ない第２電力を受給して間欠点灯するための第２信号を送信する。具体的には、第２信号送信部５０４は、会計装置７から会計処理の終了信号を受信した場合に、スキャナ３に対して第２信号を送信する。
【００４８】
次に、タブレットＰＯＳ５の制御について説明する。図９は、タブレットＰＯＳ５の制御処理の流れを示すフローチャートである。図９に示すように、タブレットＰＯＳ５の制御部５００は、カードリーダ６３が顧客カードから顧客コードを読み取ったかを判断する（Ｓ４１）。カードリーダ６３が顧客コードを読み取ったと判断した場合には（Ｓ４１のＹｅｓ）、第１信号送信部５０１は、スキャナ３に対し、第１信号を送信する（Ｓ４２）。そして制御部５００はＳ４１に戻る。
【００４９】
また、顧客コードの読み取りではないと判断した場合には（Ｓ４１のＮｏ）、制御部５００は、スキャナ３からシンボルデータを受信したかを判断する（Ｓ５１）。スキャナ３からシンボルデータを受信したと判断した場合には（Ｓ５１のＹｅｓ）、記憶部５０２は、スキャナ３から受信したシンボルデータに基づいて取得した当該商品の商品情報を、商品情報部５３１に記憶する売上登録処理を実行する（Ｓ５２）。そして制御部５００はＳ４１に戻る。
【００５０】
また、スキャナ３からのシンボルデータの受信ではないと判断した場合には（Ｓ５１のＮｏ）、制御部５００は、送信キー６１１が操作されたかを判断する（Ｓ６３）。送信キー６１１が操作されたと判断した場合には（Ｓ６３のＹｅｓ）、商品情報送信部５０３は、商品情報部５３１に記憶した商品情報を、カードリーダ６３が読み取った顧客コードとともに会計装置７に送信する（Ｓ６４）。そして制御部５００はＳ４１に戻る。
【００５１】
また、送信キー６１１の操作ではないと判断した場合には（Ｓ６３のＮｏ）、制御部５００は、会計装置７から終了信号を受信したかを判断する（Ｓ７１）。会計装置７から終了信号を受信したと判断した場合には（Ｓ７１のＹｅｓ）、第２信号送信部５０４は、スキャナ３に対し第２信号を送信する（Ｓ７２）。そして制御部５００はＳ４１に戻る。また、会計装置７からの終了信号の受信ではないと判断した場合には（Ｓ７１のＮｏ）、制御部５００はＳ４１に戻る。
【００５２】
ここからは、会計装置７の制御について説明する。図１０は、会計装置７の制御処理の流れを示すフローチャートである。図１０に示すように、会計装置７の制御部７００は、タブレットＰＯＳ５から商品情報を顧客コードとともに受信したかを判断する（Ｓ８１）。商品情報を受信するまで待機し（Ｓ８１のＮｏ）、タブレットＰＯＳ５から商品情報を受信したと判断した場合には（Ｓ８１のＹｅｓ）、制御部７００は、受信した商品情報を商品情報部７３１に記憶する（Ｓ８２）。次に制御部７００は、終了キー８１１が操作されたかを判断する（Ｓ８３）。終了キー８１１は操作されていないと判断した場合には（Ｓ８３のＮｏ）、Ｓ８１に戻り、終了キー８１１が操作されたと判断した場合には（Ｓ８３のＹｅｓ）、制御部７００は、商品情報部７３１に記憶されている商品情報に基づいて会計処理を実行する（Ｓ８４）。会計処理は現金による会計処理、およびクレジットカード等を使用したキャッシュレスによる会計処理が可能である。
【００５３】
そして制御部７００は、Ｓ８４で実行されている会計処理が終了したかを判断する（Ｓ８５）。会計処理が終了するまで待機し（Ｓ８５のＮｏ）、会計処理が終了したと判断した場合には（Ｓ８５のＹｅｓ）、制御部７００は、会計装置７における会計処理が終了したことを示す終了信号をタブレットＰＯＳ５に送信する（Ｓ８６）。そして制御部５００はＳ４１に戻る。
【００５４】
このような実施形態によれは、タブレットＰＯＳ５の第１信号送信部５０１は、顧客カードから顧客コードを読み取った場合に、第１信号をスキャナ３に送信する。スキャナ３は、タブレットＰＯＳ５から第１信号を受信すると、外部バッテリー９から第１電力を受給して常時点灯する。また、タブレットＰＯＳ５の第２信号送信部５０４は、会計装置７から終了信号を受信した場合に、第２信号をスキャナ３に送信する。スキャナ３は、タブレットＰＯＳ５から第２信号を受信すると、外部バッテリー９から第２電力を受給して間欠点灯する。そのため、スキャナ３が休止状態であっても、外部バッテリー９はスキャナ３に電力を供給し続けることが可能となる。
【００５５】
（変形例）
ここからは、実施形態の変形例について説明する。なお、変形例については、実施形態と同等の構成については同じ参照符号を付し、説明を省略する。実施形態では、会計装置７から終了信号を受信した場合にタブレットＰＯＳ５がスキャナ３に対して第２信号を送信したが、変形例では、タブレットＰＯＳ５が商品情報を会計装置７に送信した場合にスキャナ３に対して第２信号を送信する。
【００５６】
図１１は、変形例に係るタブレットＰＯＳの機能構成を示す機能ブロック図である。図１１において、商品情報送信部５０３が商品情報部５３１に記憶した商品情報を会計装置７に送信すると、第２信号送信部５０４は、スキャナ３に対し、スキャナ３が外部バッテリー９から第１電力より少ない第２電力を受給して間欠点灯するための第２信号を送信する。
【００５７】
図１２は、変形例に係るタブレットＰＯＳ５の制御処理の流れを示すフローチャートである。図１２に示すように、制御部５００は、Ｓ６３において、送信キー６１１が操作されたかを判断する（Ｓ６３）。送信キー６１１が操作されたと判断した場合には（Ｓ６３のＹｅｓ）、商品情報送信部５０３は、商品情報部５３１に記憶した商品情報を、カードリーダ６３が読み取った顧客コードとともに会計装置７に送信する（Ｓ６４）。そして第２信号送信部５０４は、スキャナ３に対し第２信号を送信する（Ｓ７２）。
【００５８】
このような変形例によれは、タブレットＰＯＳ５の第１信号送信部５０１は、顧客カードから顧客コードを読み取った場合に、第１信号をスキャナ３に送信する。スキャナ３は、タブレットＰＯＳ５から第１信号を受信すると、外部バッテリー９から第１電力を受給して常時点灯する。また、商品情報送信部５０３が商品情報を会計装置７に送信すると、第２信号をスキャナ３に送信する。スキャナ３は、タブレットＰＯＳ５から第２信号を受信すると、外部バッテリー９から第２電力を受給して間欠点灯する。そのため、外部バッテリー９は、スキャナ３が休止状態であっても、外部バッテリーがスキャナ３に電力を供給し続けることが可能となる。
【００５９】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６０】
例えば、実施形態では、商品に付されたシンボルを読み取るスキャナ３をリーダの一例として説明した。しかしながらこれに限らず、リーダは、例えば商品に付された無線タグを読み取るものであってもよい。
【００６１】
また、実施形態では、スキャナ３の間欠駆動として、発光部４３を間欠点灯するようにした。しかしながらこれに限らず、スキャナ３の間欠駆動は、例えばスキャナ３に設けられた音声発生部（図示せず）から、間欠的に音を発生するようにしてもよい。
【００６２】
また、実施形態では、会計装置７は顧客が操作した。しかしながらこれに限らず、会計装置７は店員が操作してもよい。
【００６３】
なお、実施形態および変形例のカートＰＯＳ１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disc）等のコンピュータで読み取り可能な記録媒体に記録されて提供される。
【００６４】
また、実施形態および変形例のカートＰＯＳ１で実行されるプログラムを、インターネット等のネットワークに接続されたコンピュータ上に格納し、ネットワーク経由でダウンロードさせることにより提供するように構成しても良い。また、実施形態および変形例のカートＰＯＳ１で実行されるプログラムをインターネット等のネットワーク経由で提供または配布するように構成しても良い。
【００６５】
また、実施形態および変形例のカートＰＯＳ１で実行されるプログラムを、ＲＯＭ等に予め組み込んで提供するように構成してもよい。
【符号の説明】
【００６６】
１      カートＰＯＳ
３      スキャナ
５      タブレットＰＯＳ
７      会計装置
９      外部バッテリー
４３    発光部
４４    受光部
４５    電源供給部
６３    カードリーダ
３００  制御部
３０１  常時点灯部
３０２  シンボル読取部
３０３  シンボルデータ送信部
３０４  間欠点灯部
３３１  バーコード部
５００  制御部
５０１  第１信号送信部
５０２  記憶部
５０３  商品情報送信部
５０４  第２信号送信部
５３１  商品情報部
７００  制御部
７３１  商品情報部
【先行技術文献】
【特許文献】
【００６７】
【特許文献１】特開２００８−５４５２０４号公報
【図１】
2020177589.tif 000003
【図２】
2020177589.tif 000004
【図３】
2020177589.tif 000005
【図４】
2020177589.tif 000006
【図５】
2020177589.tif 000007
【図６】
2020177589.tif 000008
【図７】
2020177589.tif 000009
【図８】
2020177589.tif 000010
【図９】
2020177589.tif 000011
【図１０】
2020177589.tif 000012
【図１１】
2020177589.tif 000013
【図１２】
2020177589.tif 000014